(57)【特許請求の範囲】
【請求項１】
オプション機器が出力する信号を受信するための第１レシーバ；
前記オプション機器に給電するための第１電源ライン；
前記オプション機器にある、第１電源ラインに接続される第２電源ライン、に接続され第１レシ−バに給電する第３電源ライン；
第４電源ライン；
省エネモードの時は第１電源ラインへの給電を遮断するが第４電源ラインへの給電は継続する電源回路；
オプション機器にある、第４電源ラインに接続される第５電源ライン、から給電される、オプション機器にあるドライバ、が送信する給電指示信号を受信する、第４電源ラインから給電される第２レシーバ；および、
第２レシーバが受信した前記給電指示信号に応答して前記電源回路の省エネモードを解除する制御手段；
を備える電子機器。
【請求項２】
請求項１に記載の電子機器；および、前記制御手段で制御され、第１レシーバが受信する画像データが表す画像を用紙に印刷するプリンタ；を備える画像形成装置。
【請求項３】
原稿画像を表す画像データを生成するスキャナ；および、前記プリンタへの画像データの経路を第１レシーバから前記スキャナに切換える手段；を備える請求項２に記載の画像形成装置。
【請求項４】
前記オプション機器は、ネットワークからのプリントデータを受信して画像データに変換して第１レシーバに送信するプリンタコントローラである；請求項２又は３に記載の画像形成装置。
【発明の詳細な説明】
【０００１】
【発明の属する技術分野】
本発明は、オプション機器を接続する際のインターフェース回路を持つ電子機器に関し、特に、オプション機器から出力される信号を受ける電子機器内のレシーバへの給電に関する。
【０００２】
【従来技術】
従来、オプション機器から電子機器に出力される信号を受信するレシーバの電源は、電子機器から直接供給されていたため、オプション機器が接続されていない電子機器でも、それが電源オンである間は、これらのレシーバすなわち未使用のレシーバで、電力が消費される。
【０００３】
未使用のレシーバによる電力消費は無駄である。これを改善するために、未使用となるレシーバを電源ラインから切り離す方法が知られている。例えば、特開平５−２５２６５９号公報では、オプション機器が未接続で未使用となるインターフェース回路を電源ラインから切り離すために、電源ラインと未使用インターフェース回路との間に給電ＯＮ／ＯＦＦ用の電気リレーを介挿し、電子機器の制御回路が該電気リレーのＯＮ／ＯＦＦを制御する。
【０００４】
【発明が解決しようとする課題】
この対策では、電気リレーの付加と、制御回路による該電気リレーのＯＮ／ＯＦＦ制御が必要になるばかりでなく、オプション機器がインターフェース回路に接続されているか否か、すなわちインターフェース回路が使用か未使用か、を制御回路に認知させるための手段が必要であり、その分付加要素が多くなり、制御回路例えばコンピュ−タの所要機能が複雑化する。すなわち、ハ−ドウェアおよびソフトウェアの両面での手当てが必要となり、その分オプション機器接続システムが複雑化する。
【０００５】
本発明は、オプション機器が接続されるインターフェース回路による無駄な電力消費をなくすことを第１の目的とし、これを簡易に実現することを第２の目的とし、電子機器とオプション機器の組合せシステムの、全体としての無駄な電力消費を低減することを第３の目的とする。オプション機器から電子機器への信号の終端処理部での無駄な消費電力を無くすことを第４の目的とする。
【０００６】
【課題を解決するための手段】
（１）オプション機器(90)が出力する信号を受信するための第１レシーバ(72)；
前記オプション機器に給電するための第１電源ライン(LVc1)；
前記オプション機器にある、第１電源ラインに接続される第２電源ライン(LVc2)、に接続され第１レシ−バに給電する第３電源ライン(LVc3)；
第４電源ライン(LVc4)；
省エネモードの時は第１電源ラインへの給電を遮断するが第４電源ラインへの給電は継続する電源回路(80)；
オプション機器にある、第４電源ラインに接続される第５電源ライン(LVc5)、から給電される、オプション機器にあるドライバ(93)、が送信する給電指示信号(WKUP)を受信する、第４電源ラインから給電される第２レシーバ(74)；および、
第２レシーバが受信した前記給電指示信号に応答して前記電源回路の省エネモードを解除する制御手段(60)；
を備える電子機器(100)。
【０００７】
これによれば、電子機器(100)にオプション機器(90)が接続されている時には、第１電源ライン(LVc1)／第２電源ライン(LVc2)／第３電源ライン(LVc3)／第１レシ−バ(72)の給電路で第１レシ−バ(72)が給電されて、オプション機器(90)から出力される信号を電子機器(100)が受信する。オプション機器(90)が非接続のときには、上記給電路が、その第２電源ライン(LVc2)の欠落により断であるので、第１レシ−バ(72)に給電が無い。すなわち無駄な電力消費が無い。
【０００８】
電子機器(100)へのオプション機器(90)の接続／非接続によって自動的に、電子機器(100)の第１，第３電源ライン(LVc1,LVc3)とオプション機器(90)の第２電源ライン(LVc2)との接続／非接続が定まるので、電子機器(100)には、オプション機器(90)の接続／非接続を認知する手段や、非接続のときには第１レシ−バ(72)への給電を遮断する手段およびそのための制御機能、を特別に付加する必要はなく、無駄な電力消費の回避を簡易に実現できる。
【０００９】
省エネモードに入って電源回路(80)が第１電源ライン(LVc1)への給電を遮断すると、オプション機器(90)の第２電源ライン(LVc2)への給電が遮断されるので、オプション機器(90)での第２電源ライン(LVc2)系の無駄な電力消費も無い。第１レシ−バ(72)の無駄な電力消費もない。
【００１０】
電子機器(100)が省エネモードに入っているときに、オプション機器(90)が給電指示信号(WKUP)をドライバ(93)に与えると、これが第２レシーバ(74)で受信される。この給電指示信号(WKUP)に応答して電子機器(100)の制御手段(60)が省エネモードを解除して電源回路(80)が第１電源ライン(LVc1)の給電を開始することにより、オプション機器(90)は、第１レシーバ(72)に指令信号を与えて電子機器(100)を動作させることができる。すなわち、電子機器(100)の省エネモ−ドを、オプション機器(90)の給電指示信号(WKUP)で解除することができる。
【００１１】
【発明の実施の形態】
（２）上記（１）に記載の電子機器；および、前記制御手段(60)で制御され、第１レシーバ(72)が受信する画像データが表す画像を用紙に印刷するプリンタ(40)；を備える画像形成装置(100)。
【００１２】
（３）原稿画像を表す画像データを生成するスキャナ(30)；および、前記プリンタ(40)への画像データの経路を第１レシーバ(72)から前記スキャナ(30)に切換える手段(75)；を備える上記（２）に記載の画像形成装置(100)。
【００１３】
（４）前記オプション機器は、ネットワークからのプリントデータを受信して画像データに変換して第１レシーバ(72)に送信するプリンタコントローラ(90)である；上記（２）又は（３）に記載の画像形成装置。
【００１４】
本発明の他の目的および特徴は、図面を参照した以下の実施例の説明より明らかになろう。
【００１５】
【実施例】
図１に、本発明の一実施例のインターフェース回路を装備したデジタル複写機（電子機器）１００とオプション機器であるプリンタコントロ−ラ９０との組合せを示す。
【００１６】
操作部１０は、コピー画像形成動作開始を指示するコピープリントスタートキー，複写枚数などを設定するときに使用するテンキーや、デジタル複写機１００が備える機能を設定する機能設定キーを備え、また、設定された機能，データなどを表示する液晶タッチパネルなどを備えている。操作部１０から設定された機能や、コピープリントスタート信号などは、メイン制御６０に送信される。
【００１７】
ＡＤＦ２０は、セットされた原稿のサイズを検知するためのセンサ類を備え、検知した原稿サイズデータをメイン制御６０に送信し、メイン制御６０のコマンドに従い、セットされた原稿を所定のタイミングで、スキャナの上面のコンタクトガラス上に給送し、所定のタイミングで該原稿を排紙する。
【００１８】
スキャナ／ＩＰＵ(画像処理ユニット) ３０は、コンタクトガラスにセットされた原稿にランプの放射光を照射し、この反射光を、ミラー群，フィルタ，レンズを介しＣＣＤに結像し、光電変換された信号を増幅し、Ａ／Ｄ変換して、デジタル画像信号すなわち画像データを得る。画像データには、所定のシェーデイング補正，ガンマ補正などの処理が施される。また、操作部１０より変倍処理，加工処理などの指定があれば、これらの処理も行い、所定のタイミングで処理後の画像データとライン同期信号ＬＳＹＮＣおよびフレームゲート信号ＦＧＡＴＥを、バススイッチ７０に送る。
【００１９】
プリンタ４０は、バススイッチ７０から送られてくる画像データをバススイッチ７０から送られてライン同期信号ＬＳＹＮＣおよびフレームゲート信号ＦＧＡＴＥに基ずいてメモリに格納し、これをプリンタ４０の同期信号に従って読み出すと共に、メイン制御６０に画像形成スタート信号を送る。メモリから読み出される画像データは、プリンタ固有の画像形成特性に合わせるため、ガンマ変換などの処理が施され、これに基づく静電潜像が感光体上に形成される。これをトナーにより顕像化し、バンク５０から給送されてくる用紙に転写し、定着器により溶融定着し、デジタル複写機１００外に定着済用紙を排出する。
【００２０】
メイン制御６０は、操作部１０等から設定された機能に従って、ＡＤＦ２０，スキャナ／ＩＰＵ ３０，プリンタ４０，バススイッチ７０の設定と、電源回路８０の、省エネモードでＯＦＦ（遮断：給電停止）する、５Ｖの第１電源ラインＬＶc１のＯＮ（通電：給電）／ＯＦＦ制御を行う。また、操作部１０，プリンタ４０から送られてくるコピースタート信号，画像形成スタート信号などに応答して、ＡＤＦ２０に原稿の給紙タイミングを送信したり、スキャナ／ＩＰＵ ３０にスキャナースタート信号を送信したり、プリンタ４０のモータ，クラッチ，チャ−ジャなど様々な負荷を駆動し、バンク５０からプリンタ４０へ用紙を給送し、用紙にトナー像を定着して排紙する等、コピー画像形成動作としてのデジタル複写機１００全体の制御を行う。
【００２１】
また、プリンタコントローラ９０，プリンタ４０から送られてくるプリンタ出力コマンド，画像形成スタート信号などに応答して、プリンタ４０の様々な負荷を駆動し、バンク５０からプリンタ４０へ用紙を給送し、用紙にトナー像を定着して排紙する等、プリンタ出力動作としてのデジタル複写機１００全体の制御を行う。
【００２２】
バンク５０は、メイン制御６０からの制御信号により、モータ，クラッチなどの負荷を駆動し、バンク５０に収納されている用紙をプリンタ４０に所定のタイミングで給送する。
【００２３】
図２に、バススイッチ７０およびプリンタコントロ−ラ９０の、インターフェース回路の構成を示す。以下、図１および図２を参照されたい。
【００２４】
電源回路８０は、主電源スイッチＰＳ（図２）が投入されることにより立ち上がり、デジタル複写機１００の各ユニットに直流電源を供給する。ここでは、省エネモ−ドでＯＦＦする、５Ｖの第１電源ラインＬＶc１，省エネモ−ドでもＯＦＦしない５ＶＥの第４電源ラインＬＶc４、および、駆動系負荷に給電する電源ライン２４Ｖを有し、オプション機器であるプリンタコントローラ９０には、第１電源ラインＬＶc１および第４電源ラインＬＶc４の５Ｖおよび５ＶＥを、コネクタ７６（複写機１００側），９４（コントロ−ラ９０側）を介して供給する。また、メイン制御６０からの制御信号（非省エネモ−ド／省エネモ−ド）により、第１電源ラインＬＶc１をＯＮ／ＯＦＦする。
【００２５】
バススイッチ７０は、メイン制御６０の設定（選択信号）により、画像データの経路を切り換えるバス切換ＡＳＩＣ（エイシック；Application Specific IC：特定用途向け集積回路）を有する。例えばコピー画像形成動作時は、スキャナ／ＩＰＵ ３０からプリンタ４０に画像データとライン同期信号ＬＳＹＮＣおよびフレームゲート信号ＦＧＡＴＥが流れるようにバス切換ＡＳＩＣを設定し、プリンタ出力動作時は、プリンタコントローラ９０からプリンタ４０に画像データＡＲＫＤ［７：０］（第０〜第７ビットの８ビット構成）とライン同期信号ＡＲＬＳＹＮＣおよびフレームゲート信号ＡＲＦＧＡＴＥが流れるようにバス切換ＡＳＩＣを設定する。
【００２６】
バススイッチ７０はまた、電源回路８０からの５Ｖ，５ＶＥの第１，第４電源ラインＬＶc１，ＬＶc４を通してオプション機器であるプリンタコントローラ９０に給電し、プリンタコントローラ９０から出力される画像データＡＲＫＤ［７：０］，ライン同期信号ＡＲＬＳＹＮＣおよびフレームゲート信号ＡＲＦＧＡＴＥを受けるレシーバ７２（図２）に給電する第３電源ラインＬＶc３は、オプション機器であるプリンタコントローラ９０の第２電源ラインＬＶｃ２から、コネクタ７６，９４を介して受電する構成になっている。
【００２７】
プリンタコントローラ９０は、ネットワークに接続されているホスト（例えばワ−プロ，パソコン，ファクシミリ）からプリントデータを受信すると、これをデジタル複写機１００とのインターフェース仕様（ＡＲＫＤ［７：０］，ライン同期信号ＡＲＬＳＹＮＣ，フレームゲート信号ＡＲＦＧＡＴＥ）に変換し、メイン制御６０とのシリアル通信ＴＸＤ，ＲＸＤに従い、画像データＡＲＫＤ［７：０］とライン同期信号ＡＲＬＳＹＮＣおよびフレームゲート信号ＡＲＦＧＡＴＥをバススイッチ７０に送る。また、プリンタコントローラ９０は、バススイッチ７０を介して、第１，第４電源ラインＬＶｃ１，ＬＶｃ４から５Ｖ，５ＶＥの供給を受け、コントロ−ラ９０のインターフェース部の第２電源ラインＬＶc２を通して、バススイッチ７０の第３電源ラインに、５Ｖを戻す構成となっている。
【００２８】
次に、本発明の一実施例にかかわるインターフェース回路を、主に図２を参照して説明する。まず、複写機１００（電子機器）のバススイッチ７０の説明を行なう。メイン制御６０からのシリアル通信用（ＴＸＤ，ＲＸＤ）のドライバ／レシーバ７１は、省エネモ−ドでもＯＦＦにならない第４電源ラインＬＶc４から５ＶＥが給電される。プリンタコントローラ９０から送られてくる画像データＡＲＫＤ［７：０］と画像データのフレームゲート信号ＡＲＦＧＡＴＥおよびライン同期信号ＡＲＬＳＹＮＣを受信するレシーバ７２には、第３電源ラインＬＶc３が給電するが、この第３電源ラインＬＶc３は、コネクタ７６，９４／第２電源ラインＬＶc２／コネクタ９４，７６／第１電源ラインＬＶc１／電源回路８０の経路で、電源回路８０から、非省エネモ−ドのときに給電される。
【００２９】
また、レシーバ７２の入力信号の終端処理は、第３電源ラインＬＶc３および機器ア−スに接続した終端抵抗７３で行なわれている。また、省エネモード時はＯＦＦにされる第１〜第３電源ラインＬＶc１〜ＬＶc３をＯＮさせるための信号ＷＫＵＰのレシーバ７４は、省エネモードでもＯＦＦしない第４電源ラインＬＶc４から給電される。
【００３０】
次に、オプション機器であるプリンタコントローラ９０側のインターフェース回路の説明を行なう。省エネモード時、ＯＦＦしている第１〜第３電源ラインＬＶc１〜ＬＶc３をＯＮさせるための信号ＷＫＵＰのドライバ９３は、省エネモードでもＯＦＦしない第４電源ラインＬＶｃ４に接続した第５電源ラインＬＶc５から給電される。メイン制御６０とのシリアル通信用（ＴＸＤ，ＲＸＤ）のドライバ／レシーバ９１と、バススイッチ７０に出力する画像データＡＲＫＤ［７：０］，フレームゲート信号ＡＲＦＧＡＴＥおよびライン同期信号ＡＲＬＳＹＮＣのドライバ９２とは、第１電源ラインＬＶｃ１にコネクタ７６，９４を介して接続される第２電源ラインＬＶｃ２から給電される。
【００３１】
プリンタコントローラ９０を接続していないとき、つまり、デジタル複写機１００のコネクタ７６に、プリンタコントロ−ラ９０のコネクタ９４が結合していないときは、第３電源ラインＬＶc３が第１電源ラインＬＶc１とは電気的に分断しているので、レシーバ７２および終端抵抗７３には、給電が無い。したがって、これらレシーバ７２および終端抵抗７３で電力を浪費することはない。
【００３２】
次に、プリンタコントローラ９０を接続しているときでも、省エネモード時は、メイン制御６０が電源回路８０に省エネモ−ド出力を指示し、これに応じて電源回路８０が第１電源ラインＬＶc１をＯＦＦにするので、プリンタコントローラ９０での、第２電源ラインＬＶｃ２での消費電力が無くなると共に、バススイッチ７０のレシーバ７２および終端抵抗７３が給電されないので、電力を浪費することはない。この時、プリンタコントローラ９０は、ネットワーク上に接続されているホストからのプリント要求を、継続してＯＮの第５電源ラインＬＶｃ５から給電される一部のＩＣにて監視する。
【００３３】
プリンタコントローラ９０は、ホストからのプリント要求を検知したら、メイン制御６０に、第１電源ラインＬＶc１をＯＮさせる信号ＷＫＵＰを送信し、メイン制御６０は、電源回路８０に第１電源ラインＬＶc１をＯＮさせ、バススイッチ７０のバス切換ＡＳＩＣをプリンタコントローラ９０側への接続に設定し、プリンタコントローラ９０とのシリアル通信を行う。プリンタコントローラ９０は、メイン制御６０とのシリアル通信に従い、受信したプリントデータをデジタル複写機１００とのインターフェース仕様（ＡＲＫＤ［７：０］，ライン同期信号ＡＲＬＳＹＮＣ，フレームゲート信号ＡＲＦＧＡＴＥ）に変換し、この変換された画像データＡＲＫＤ［７：０］とライン同期信号ＡＲＬＳＹＮＣおよびフレームゲート信号ＡＲＦＧＡＴＥをバススイッチ７０に送ることにより、プリンタ出力動作に移行する。
【００３４】
インターフェース回路のこの様な構成により、プリンタコントロ−ラ９０未接続時、または省エネモード時にも、プリンタコントロ−ラ９０から出力される信号を受信するレシーバ７２および終端抵抗７３での消費電力を無くすことが可能となる。また、レシーバ７２の電源ラインと終端抵抗７３の電源ラインを同一（ＬＶc３）にすることで、レシーバ７２の入力信号電圧値が該レシーバの電源電圧値よりも高くなることが無く、レシーバ７２にダメージを与えることが無い。
【図面の簡単な説明】
【図１】  本発明の一実施例を装備したデジタル複写機とプリンタコントロ−ラの組合せを示すブロック図である。
【図２】  図１に示すバススイッチ７０とプリンタコントロ−ラ９０の、主にインターフェース回路部分を示すブロック図である。
【符号の説明】
ＬＶc１：第１電源ライン    ＬＶc２：第２電源ライン
ＬＶc３：第３電源ライン    ＬＶc４：第４電源ライン
ＬＶc５：第５電源ライン    ７６，９４：コネクタ
【図１】
0003956332.tif 000002
【図２】
0003956332.tif 000003